(57)【要約】  本願は間欠受信方法及び装置を開示し、当該方法が、端末がネットワークデバイスにより送信された切替指示情報を受信することと、前記端末が第２ＤＲＸパターンでＤＲＸ休眠期間とＤＲＸアクティブ期間との間で切り替えることとを含み、前記切替指示情報が、前記端末が現在使用する第１間欠受信ＤＲＸパターンから前記第２ＤＲＸパターンに切り替えるように指示するために用いられ、前記第１ＤＲＸパターン及び前記第２ＤＲＸパターンが、前記ＤＲＸ休眠期間に対応する時間帯及び前記ＤＲＸアクティブ期間に対応する時間帯を示すために用いられる。端末がネットワークデバイスからの切替指示情報に応じてＤＲＸパターンをリアルタイムに切り替え、異なるＤＲＸパターンでＤＲＸ休眠期間とＤＲＸアクティブ期間との間で切り替えることで、端末がＤＲＸ動作メカニズムを利用してネットワークデバイスと通信する柔軟性を向上させる。
2020504498.tif 000002
【特許請求の範囲】
【請求項１】
端末がネットワークデバイスにより送信された切替指示情報を受信することと、
前記端末が第２ＤＲＸパターンでＤＲＸ休眠期間とＤＲＸアクティブ期間との間で切り替えることとを含み、
前記切替指示情報が、前記端末が現在使用する第１間欠受信ＤＲＸパターンから前記第２ＤＲＸパターンに切り替えるように指示するために用いられ、
前記第１ＤＲＸパターン及び前記第２ＤＲＸパターンが、前記ＤＲＸ休眠期間に対応する時間帯及び前記ＤＲＸアクティブ期間に対応する時間帯を示すために用いられる
ことを特徴とする間欠受信方法。
【請求項２】
前記端末が前記ネットワークデバイスにより送信された第１指示情報を受信することをさらに含み、
前記第１指示情報が前記第２ＤＲＸパターンを示すために用いられる
ことを特徴とする請求項１に記載の間欠受信方法。
【請求項３】
前記端末が前記第１指示情報に応じて、ＤＲＸパターンセットから前記第２ＤＲＸパターンを確定することをさらに含み、
前記ＤＲＸパターンセットが、多くの異なるＤＲＸパターンを含む
ことを特徴とする請求項２に記載の間欠受信方法。
【請求項４】
前記端末が前記ネットワークデバイスにより送信された構成情報を受信することをさらに含み、
前記構成情報が、前記端末に前記ＤＲＸパターンセットを構成するために用いられる
ことを特徴とする請求項３に記載の間欠受信方法。
【請求項５】
前記端末が前記ネットワークデバイスにより送信された第２指示情報を受信することをさらに含み、
前記第２指示情報が前記第２ＤＲＸパターンの持続時間を使用するために用いられ、
前記端末が第２ＤＲＸパターンでＤＲＸ休眠期間とＤＲＸアクティブ期間との間で切り替えることは、
前記端末が前記持続時間内において、前記第２ＤＲＸパターンで前記ＤＲＸ休眠期間と前記ＤＲＸアクティブ期間との間で切り替えることを含む
ことを特徴とする請求項１又は２に記載の間欠受信方法。
【請求項６】
前記持続時間を経過した後、前記端末が前記第１ＤＲＸパターンで前記ＤＲＸ休眠期間と前記ＤＲＸアクティブ期間との間で切り替えることをさらに含む
ことを特徴とする請求項５に記載の間欠受信方法。
【請求項７】
前記持続時間を経過した後、前記端末が前記第１ＤＲＸパターン、予め構成されたＤＲＸパターン及びプロトコルデフォルトのＤＲＸパターンのいずれかのＤＲＸパターンで前記ＤＲＸ休眠期間と前記ＤＲＸアクティブ期間との間で切り替えることをさらに含む
ことを特徴とする請求項３に記載の間欠受信方法。
【請求項８】
前記端末が前記ネットワークデバイスにより送信された第３指示情報を受信することと、
前記端末が前記第２ＤＲＸパターンで前記ＤＲＸ休眠期間と前記ＤＲＸアクティブ期間との間で切り替えることを停止することとをさらに含み、
前記第３指示情報が、前記端末が前記第２ＤＲＸパターンで前記ＤＲＸ休眠期間と前記ＤＲＸアクティブ期間との間で切り替えることを停止するように指示するために用いられ、
ことを特徴とする請求項１に記載の間欠受信方法。
【請求項９】
前記端末が、前記第１ＤＲＸパターン、予め構成されたＤＲＸパターン及びプロトコルデフォルトのＤＲＸパターンのいずれかのＤＲＸパターンで、前記ＤＲＸ休眠期間と前記ＤＲＸアクティブ期間との間で切り替えることをさらに含む
ことを特徴とする請求項８に記載の間欠受信方法。
【請求項１０】
前記端末が前記ネットワークデバイスにより送信された第４指示情報を受信することをさらに含み、
前記第４指示情報が、前記第２ＤＲＸパターンが適用されるサービスタイプ情報、前記第２ＤＲＸパターンが適用される搬送情報、前記第２ＤＲＸパターンが適用される論理チャネル情報及び前記第２ＤＲＸパターンが適用されるＨＡＲＱプロセス情報のうちの少なくとも１つを示すために用いられる
ことを特徴とする請求項１〜９のいずれか１項に記載の間欠受信方法。
【請求項１１】
前記ＤＲＸ休眠期間に対応する時間帯及び／又は前記ＤＲＸアクティブ期間に対応する時間帯は、
伝送するダウンリンクデータに対応するサービス品質又はサービス属性、
アップリンクデータ及び／又はダウンリンクデータの符号化に要する時間、
アップリンクデータ及び／又はダウンリンクデータの復号化に要する時間、
アップリンクデータ及び／又はダウンリンクデータの伝送に要する伝送時間のうちの少なくとも１つの情報に基づいて決定されたものである
ことを特徴とする請求項１〜１０のいずれか１項に記載の間欠受信方法。
【請求項１２】
前記伝送するダウンリンクデータに対応するサービス品質が、前記伝送するダウンリンクデータを伝送する時間間隔を含み、
前記伝送するダウンリンクデータに対応するサービス品質が、前記伝送するダウンリンクデータを伝送する待ち時間要求を含む
ことを特徴とする請求項１１に記載の間欠受信方法。
【請求項１３】
前記端末がネットワークデバイスにより送信された切替指示情報を受信することが、
前記端末が前記ネットワークデバイスにより送信されたダウンリンクデータを受信することを含み、
前記ダウンリンクデータに前記切替指示情報が含まれる
ことを特徴とする請求項１〜１２のいずれか１項に記載の間欠受信方法。
【請求項１４】
前記ダウンリンクデータは、
メディアアクセス制御層のプロトコルデータユニットＭＡＣ  ＰＤＵで伝送される前記ダウンリンクデータ、無線リンク層制御層のプロトコルデータユニットＲＬＣ  ＰＤＵで伝送される前記ダウンリンクデータ、パケットデータ統合プロトコルのプロトコルデータユニットＰＤＣＰ  ＰＤＵで伝送される前記ダウンリンクデータ、又はダウンリンク制御チャネルで伝送される前記ダウンリンクデータである
ことを特徴とする請求項１３に記載の間欠受信方法。
【請求項１５】
ネットワークデバイスが端末に切替指示情報を送信することと、
前記端末が第２ＤＲＸパターンでＤＲＸアクティブ期間の時間帯にある場合、前記ネットワークデバイスが前記端末にダウンリンクデータを送信することとを含み、
前記切替指示情報が、前記端末が現在使用する第１間欠受信ＤＲＸパターンから前記第２ＤＲＸパターンに切り替えるように指示するために用いられ、前記第１ＤＲＸパターン及び前記第２ＤＲＸパターンが、前記ＤＲＸ休眠期間に対応する時間帯及び前記ＤＲＸアクティブ期間に対応する時間帯を示すために用いられる、
ことを特徴とする間欠受信方法。
【請求項１６】
前記ネットワークデバイスが前記端末に第１指示情報を送信することをさらに含み、
前記第１指示情報が前記第２ＤＲＸパターンを示すために用いられる
ことを特徴とする請求項１５に記載の間欠受信方法。
【請求項１７】
前記ネットワークデバイスが前記端末に第２指示情報を送信することをさらに含み、
前記第２指示情報が、前記端末の前記第２ＤＲＸパターンの使用の持続時間を示すために用いられる
ことを特徴とする請求項１５又は１６に記載の間欠受信方法。
【請求項１８】
前記ネットワークデバイスが前記端末に第３指示情報を送信することをさらに含み、
前記第３指示情報が、前記端末が前記第２ＤＲＸパターンで前記ＤＲＸ休眠期間と前記ＤＲＸアクティブ期間との間で切り替えることを停止するように指示するために用いられる
ことを特徴とする請求項１５〜１７のいずれか１項に記載の間欠受信方法。
【請求項１９】
前記ネットワークデバイスが前記端末に第４指示情報を送信することをさらに含み、
前記第４指示情報が、前記第２ＤＲＸパターンが適用されるサービスタイプ情報、前記第２ＤＲＸパターンが適用される搬送情報、前記第２ＤＲＸパターンが適用される論理チャネル情報及び前記第２ＤＲＸパターンが適用されるＨＡＲＱプロセス情報のうちの少なくとも１つを示すために用いられる
ことを特徴とする請求項１５〜１８のいずれか１項に記載の間欠受信方法。
【請求項２０】
前記ＤＲＸ休眠期間に対応する時間帯及び／又は前記ＤＲＸアクティブ期間に対応する時間帯は、
伝送するダウンリンクデータに対応するサービス品質又はサービス属性、
アップリンクデータ及び／又はダウンリンクデータの符号化に要する時間、
アップリンクデータ及び／又はダウンリンクデータの復号化に要する時間、及びアップリンクデータ及び／又はダウンリンクデータの伝送に要する伝送時間のうちの少なくとも１つの情報に基づいて決定されたものである
ことを特徴とする請求項１５〜１９のいずれか１項に記載の間欠受信方法。
【請求項２１】
前記伝送するダウンリンクデータに対応するサービス品質が、前記伝送するダウンリンクデータを伝送する時間間隔を含み、
前記伝送するダウンリンクデータに対応するサービス品質が、前記伝送するダウンリンクデータを伝送する待ち時間要求を含む
ことを特徴とする請求項２０に記載の間欠受信方法。
【請求項２２】
前記ネットワークデバイスが端末に切替指示情報を送信することは、
前記ネットワークデバイスが前記端末に前記ダウンリンクデータを送信することを含み、前記ダウンリンクデータに前記切替指示情報が含まれる
ことを特徴とする請求項１５〜２１のいずれか１項に記載の間欠受信方法。
【請求項２３】
前記ダウンリンクデータは、メディアアクセス制御層のプロトコルデータユニットＭＡＣ  ＰＤＵで伝送される前記ダウンリンクデータ、無線リンク層制御層のプロトコルデータユニットＲＬＣ  ＰＤＵで伝送される前記ダウンリンクデータ、パケットデータ統合プロトコルのプロトコルデータユニットＰＤＣＰ  ＰＤＵで伝送される前記ダウンリンクデータ、又はダウンリンク制御チャネルで伝送される前記ダウンリンクデータである
ことを特徴とする請求項２２に記載の間欠受信方法。
【請求項２４】
ネットワークデバイスにより送信された切替指示情報を受信するように構成される第１受信ユニットと、
第２ＤＲＸパターンでＤＲＸ休眠期間とＤＲＸアクティブ期間との間で切り替えるように構成される第１切替ユニットとを含み、
前記切替指示情報が、前記端末が現在使用する第１間欠受信ＤＲＸパターンから前記第２ＤＲＸパターンに切り替えるように指示するために用いられ、前記第１ＤＲＸパターン及び前記第２ＤＲＸパターンが、前記ＤＲＸ休眠期間に対応する時間帯及び前記ＤＲＸアクティブ期間に対応する時間帯を示すために用いられる
ことを特徴とする間欠受信装置。
【請求項２５】
前記ネットワークデバイスにより送信された第１指示情報を受信するように構成される第２受信ユニットをさらに含み、
前記第１指示情報が前記第２ＤＲＸパターンを示すために用いられる
ことを特徴とする請求項２４に記載の間欠受信装置。
【請求項２６】
前記第１指示情報に応じて、ＤＲＸパターンセットから前記第２ＤＲＸパターンを確定するように構成される確定ユニットをさらに含み、
前記ＤＲＸパターンセットが、多くの異なるＤＲＸパターンを含む
ことを特徴とする請求項２５に記載の間欠受信装置。
【請求項２７】
前記ネットワークデバイスにより送信された構成情報を受信するように構成される第３受信ユニットをさらに含み、
前記構成情報が、前記端末に前記ＤＲＸパターンセットを構成するために用いられる
ことを特徴とする請求項２６に記載の間欠受信装置。
【請求項２８】
前記ネットワークデバイスにより送信された第２指示情報を受信するように構成される第４受信ユニットをさらに含み、
前記第２指示情報が前記第２ＤＲＸパターンの持続時間を使用するために用いられ、
前記第１切替ユニットが、さらに、
前記持続時間内において、前記第２ＤＲＸパターンで前記ＤＲＸ休眠期間と前記ＤＲＸアクティブ期間との間で切り替えるように構成される
ことを特徴とする請求項２４又は２５に記載の間欠受信装置。
【請求項２９】
前記持続時間を経過した後、前記端末が前記第１ＤＲＸパターンで前記ＤＲＸ休眠期間と前記ＤＲＸアクティブ期間との間で切り替えるように構成される第２切替ユニットをさらに含む
ことを特徴とする請求項２８に記載の間欠受信装置。
【請求項３０】
前記持続時間を経過した後、前記端末が前記第１ＤＲＸパターン、予め構成されたＤＲＸパターン及びプロトコルデフォルトのＤＲＸパターンのいずれかのＤＲＸパターンで、前記ＤＲＸ休眠期間と前記ＤＲＸアクティブ期間との間で切り替えるように構成される第３切替ユニットをさらに含む
ことを特徴とする請求項２９に記載の間欠受信装置。
【請求項３１】
前記ネットワークデバイスにより送信された第３指示情報を受信するように構成される第５受信ユニットと、
前記第２ＤＲＸパターンで前記ＤＲＸ休眠期間と前記ＤＲＸアクティブ期間との間で切り替えることを停止するように構成される停止ユニットとをさらに含み、
前記第３指示情報が、前記端末が前記第２ＤＲＸパターンで前記ＤＲＸ休眠期間と前記ＤＲＸアクティブ期間との間で切り替えることを停止するように指示するために用いられる
ことを特徴とする請求項２４に記載の間欠受信装置。
【請求項３２】
前記第１ＤＲＸパターン、予め構成されたＤＲＸパターン及びプロトコルデフォルトのＤＲＸパターンのいずれかのＤＲＸパターンで、前記ＤＲＸ休眠期間と前記ＤＲＸアクティブ期間との間で切り替えるように構成される第４切替ユニットをさらに含む
ことを特徴とする請求項３１に記載の間欠受信装置。
【請求項３３】
前記ネットワークデバイスにより送信された第４指示情報を受信するように構成される第６受信ユニットをさらに含み、
前記第４指示情報が、前記第２ＤＲＸパターンが適用されるサービスタイプ情報、前記第２ＤＲＸパターンが適用される搬送情報、前記第２ＤＲＸパターンが適用される論理チャネル情報及び前記第２ＤＲＸパターンが適用されるＨＡＲＱプロセス情報のうちの少なくとも１つを示すために用いられる
ことを特徴とする請求項２４〜３２のいずれか１項に記載の間欠受信装置。
【請求項３４】
前記ＤＲＸ休眠期間に対応する時間帯及び／又は前記ＤＲＸアクティブ期間に対応する時間帯は、
伝送するダウンリンクデータに対応するサービス品質又はサービス属性、
アップリンクデータ及び／又はダウンリンクデータの符号化に要する時間、
アップリンクデータ及び／又はダウンリンクデータの復号化に要する時間、
アップリンクデータ及び／又はダウンリンクデータの伝送に要する伝送時間のうちの少なくとも１つの情報に基づいて決定されたものである
ことを特徴とする請求項２４〜３３のいずれか１項に記載の間欠受信装置。
【請求項３５】
前記伝送するダウンリンクデータに対応するサービス品質が、前記伝送するダウンリンクデータを伝送する時間間隔を含み、
前記伝送するダウンリンクデータに対応するサービス品質が、前記伝送するダウンリンクデータを伝送する待ち時間要求を含む
ことを特徴とする請求項３４に記載の間欠受信装置。
【請求項３６】
前記第１受信ユニットが、具体的に、前記ネットワークデバイスにより送信されたダウンリンクデータを受信するように構成され、
前記ダウンリンクデータに前記切替指示情報が含まれる
ことを特徴とする請求項２４〜３５のいずれか１項に記載の間欠受信装置。
【請求項３７】
前記ダウンリンクデータは、メディアアクセス制御層のプロトコルデータユニットＭＡＣ  ＰＤＵで伝送される前記ダウンリンクデータ、無線リンク層制御層のプロトコルデータユニットＲＬＣ  ＰＤＵで伝送される前記ダウンリンクデータ、パケットデータ統合プロトコルのプロトコルデータユニットＰＤＣＰ  ＰＤＵで伝送される前記ダウンリンクデータ、又はダウンリンク制御チャネルで伝送される前記ダウンリンクデータである
ことを特徴とする請求項３６に記載の間欠受信装置。
【請求項３８】
端末に切替指示情報を送信するように構成される第１送信ユニットと、
前記端末が第２ＤＲＸパターンでＤＲＸアクティブ期間の時間帯にある場合、前記端末にダウンリンクデータを送信するように構成される第２送信ユニットと、を含み、
前記切替指示情報が、前記端末が現在使用する第１間欠受信ＤＲＸパターンから前記第２ＤＲＸパターンに切り替えるように指示するために用いられ、前記第１ＤＲＸパターン及び前記第２ＤＲＸパターンが、前記ＤＲＸ休眠期間に対応する時間帯及び前記ＤＲＸアクティブ期間に対応する時間帯を示すために用いられる
ことを特徴とする間欠受信装置。
【請求項３９】
前記端末に第１指示情報を送信するように構成される第３送信ユニットをさらに含み、
前記第１指示情報が前記第２ＤＲＸパターンを示すために用いられる
ことを特徴とする請求項３８に記載の間欠受信装置。
【請求項４０】
前記端末に第２指示情報を送信するように構成される第４送信ユニットをさらに含み、
前記第２指示情報が、前記端末の前記第２ＤＲＸパターンの使用の持続時間を示すために用いられる
ことを特徴とする請求項３８又は３９に記載の間欠受信装置。
【請求項４１】
前記端末に第３指示情報を送信するように構成される第５送信ユニットをさらに含み、
前記第３指示情報が、前記端末が前記第２ＤＲＸパターンで前記ＤＲＸ休眠期間と前記ＤＲＸアクティブ期間との間で切り替えることを停止するように指示するために用いられる
ことを特徴とする請求項３８〜４０のいずれか１項に記載の間欠受信装置。
【請求項４２】
前記端末に第４指示情報を送信するように構成される第６送信ユニットをさらに含み、
前記第４指示情報が、前記第２ＤＲＸパターンが適用されるサービスタイプ情報、前記第２ＤＲＸパターンが適用される搬送情報、前記第２ＤＲＸパターンが適用される論理チャネル情報及び前記第２ＤＲＸパターンが適用されるＨＡＲＱプロセス情報のうちの少なくとも１つを示すために用いられる
ことを特徴とする請求項３８〜４１のいずれか１項に記載の間欠受信装置。
【請求項４３】
前記ＤＲＸ休眠期間に対応する時間帯及び／又は前記ＤＲＸアクティブ期間に対応する時間帯は、
伝送するダウンリンクデータに対応するサービス品質又はサービス属性、
アップリンクデータ及び／又はダウンリンクデータの符号化に要する時間、
アップリンクデータ及び／又はダウンリンクデータの復号化に要する時間、
アップリンクデータ及び／又はダウンリンクデータの伝送に要する伝送時間のうちの少なくとも１つの情報に基づいて決定されたものである
ことを特徴とする請求項３８〜４２のいずれか１項に記載の間欠受信装置。
【請求項４４】
前記伝送するダウンリンクデータに対応するサービス品質が、前記伝送するダウンリンクデータを伝送する時間間隔を含み、
前記伝送するダウンリンクデータに対応するサービス品質が、前記伝送するダウンリンクデータを伝送する待ち時間要求を含む
ことを特徴とする請求項４３に記載の間欠受信装置。
【請求項４５】
前記第１送信ユニットが、具体的に、前記端末に前記ダウンリンクデータを送信するように構成され、
前記ダウンリンクデータに前記切替指示情報が含まれる
ことを特徴とする請求項３８〜４４のいずれか１項に記載の間欠受信装置。
【請求項４６】
前記ダウンリンクデータは、メディアアクセス制御層のプロトコルデータユニットＭＡＣ  ＰＤＵで伝送される前記ダウンリンクデータ、無線リンク層制御層のプロトコルデータユニットＲＬＣ  ＰＤＵで伝送される前記ダウンリンクデータ、パケットデータ統合プロトコルのプロトコルデータユニットＰＤＣＰ  ＰＤＵで伝送される前記ダウンリンクデータ、又はダウンリンク制御チャネルで伝送される前記ダウンリンクデータである
ことを特徴とする請求項４５に記載の間欠受信装置。
【発明の詳細な説明】
【技術分野】
【０００１】
本発明の実施例は、通信分野に関し、具体的に、間欠受信方法及び装置に関する。
【背景技術】
【０００２】
通常、パケットに基づくデータストリームの伝送が突発的なものであり、一定の時間帯においてネットワークデバイスと端末との間にデータ伝送を行っているが、次の長い時間帯において伝送するデータがない可能性がある。伝送するデータがない場合、端末が物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）の受信を停止して端末の消費電力を低減させることで、端末の電池の使用時間を延長させ、上記の端末とネットワークデバイスとの間の通信方法が間欠受信（ＤＲＸ：Ｄｉｓｃｏｎｔｉｎｕｏｕｓ  Ｒｅｃｅｐｔｉｏｎ）と言われる。
【０００３】
通常、パケットに基づくデータストリームの伝送が突発的なものであり、一定の時間帯においてネットワークデバイスと端末との間にデータ伝送を行っているが、次の長い時間帯において伝送するデータがない可能性がある。伝送するデータがない場合、端末が物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）の受信を停止して端末の消費電力を低減させることで、端末の電池の使用時間を延長させ、上記の端末とネットワークデバイスとの間の通信方法が間欠受信（ＤＲＸ：Ｄｉｓｃｏｎｔｉｎｕｏｕｓ  Ｒｅｃｅｐｔｉｏｎ）と言われる。
【０００４】
しかしながら、従来の技術において周期性ＤＲＸの動作メカニズムにより、端末のアクティブ期間の時間帯と休眠期間の時間帯が相対的固定されているため、端末がＤＲＸ動作メカニズムを利用してネットワークデバイスと通信する柔軟性を低減する。
【発明の概要】
【０００５】
本発明の実施例は、端末がＤＲＸ動作メカニズムを利用してネットワークデバイスと通信する柔軟性を向上させる間欠受信方法及び装置を提供する。
【０００６】
第１形態は、間欠受信方法を提供し、端末がネットワークデバイスにより送信された切替指示情報を受信することと、前記端末が第２ＤＲＸパターンで前記ＤＲＸ休眠期間と前記ＤＲＸアクティブ期間との間で切り替えることとを含み、前記切替指示情報が、前記端末が現在使用する第１間欠受信ＤＲＸパターンから前記第２ＤＲＸパターンに切り替えるように指示するために用いられ、前記第１ＤＲＸパターン及び前記第２ＤＲＸパターンが、前記ＤＲＸ休眠期間に対応する時間帯及び前記ＤＲＸアクティブ期間に対応する時間帯を示すために用いられる。
【０００７】
端末がネットワークデバイスからの切替指示情報に応じてＤＲＸパターンをリアルタイムに切り替え、異なるＤＲＸパターンでＤＲＸ休眠期間とＤＲＸアクティブ期間との間で切り替えることで、端末がＤＲＸ動作メカニズムを利用してネットワークデバイスと通信する柔軟性を向上させる。
【０００８】
第１形態と結合し、第１形態のある実現方式において、前記方法がさらに、前記端末が前記ネットワークデバイスにより送信された第１指示情報を受信することを含み、前記第１指示情報が前記第２ＤＲＸパターンを示すために用いられる。
【０００９】
第１形態と結合し、第１形態のある実現方式において、前記方法がさらに、前記端末が前記第１指示情報に応じて、ＤＲＸパターンセットから前記第２ＤＲＸパターンを確定することを含み、前記ＤＲＸパターンセットが、多くの異なるＤＲＸパターンを含む。
【００１０】
第１形態と結合し、第１形態のある実現方式において、前記方法がさらに、前記端末が前記ネットワークデバイスにより送信された構成情報を受信することを含み、前記構成情報が、前記端末に前記ＤＲＸパターンセットを構成するために用いられる。
【００１１】
第１形態と結合し、第１形態のある実現方式において、前記方法がさらに、前記端末が前記ネットワークデバイスにより送信された第２指示情報を受信することを含み、前記第２指示情報が前記第２ＤＲＸパターンの持続時間を使用するために用いられ、前記端末が第２ＤＲＸパターンでＤＲＸ休眠期間とＤＲＸアクティブ期間との間で切り替えることは、前記端末が前記持続時間内において、前記第２ＤＲＸパターンで前記ＤＲＸ休眠期間と前記ＤＲＸアクティブ期間との間で切り替えることを含む。
【００１２】
第１形態と結合し、第１形態のある実現方式において、前記方法がさらに、前記持続時間を経過した後、前記端末が前記第１ＤＲＸパターンで前記ＤＲＸ休眠期間と前記ＤＲＸアクティブ期間との間で切り替えることを含む。
【００１３】
第１形態と結合し、第１形態のある実現方式において、前記方法がさらに、前記持続時間を経過した後、前記端末が前記第１ＤＲＸパターン、予め構成されたＤＲＸパターン及びプロトコルデフォルトのＤＲＸパターンのいずれかのＤＲＸパターンで前記ＤＲＸ休眠期間と前記ＤＲＸアクティブ期間との間で切り替えることを含む。
【００１４】
第１形態と結合し、第１形態のある実現方式において、前記方法がさらに、前記端末が前記ネットワークデバイスにより送信された第３指示情報を受信することと、前記端末が第２ＤＲＸパターンで前記ＤＲＸ休眠期間と前記ＤＲＸアクティブ期間との間で切替ることを停止することとを含み、前記第３指示情報が、前記端末が前記第２ＤＲＸパターンで前記ＤＲＸ休眠期間と前記ＤＲＸアクティブ期間との間で切り替えることを停止するように指示するために用いられる。
【００１５】
第１形態と結合し、第１形態のある実現方式において、前記方法がさらに、前記端末が、前記第１ＤＲＸパターン、予め構成されたＤＲＸパターン及びプロトコルデフォルトのＤＲＸパターンのいずれかのＤＲＸパターンで、前記ＤＲＸ休眠期間と前記ＤＲＸアクティブ期間との間で切り替えることを含む。
【００１６】
第１形態と結合し、第１形態のある実現方式において、前記方法がさらに、前記端末が前記ネットワークデバイスにより送信された第４指示情報を受信することを含み、前記第４指示情報が、前記第２ＤＲＸパターンが適用されるサービスタイプ情報、前記第２ＤＲＸパターンが適用される搬送情報、前記第２ＤＲＸパターンが適用される論理チャネル情報及び前記第２ＤＲＸパターンが適用されるＨＡＲＱプロセス情報のうちの少なくとも１つを示すために用いられる。
【００１７】
ネットワークデバイスが端末に第２ＤＲＸパターンを指示するとともに、端末に第２ＤＲＸパターンが適用されるサービスタイプ情報、第２ＤＲＸパターンが適用される搬送情報、第２ＤＲＸパターンが適用されるロジックチャンネル情報及び第２ＤＲＸパターンが適用されるＨＡＲＱプロセス情報も指示することで、端末がＤＲＸパターン適用されるサービスタイプ情報、ＤＲＸパターンが適用される搬送情報、ＤＲＸパターンが適用されるロジックチャンネル情報及びＤＲＸパターンが適用されるＨＡＲＱプロセス情報に応じて、対応するＤＲＸパターンを第２ＤＲＸパターンとして確定する。
【００１８】
第１形態と結合し、第１形態のある実現方式において、前記ＤＲＸ休眠期間に対応する時間帯及び／又は前記ＤＲＸアクティブ期間に対応する時間帯は、伝送するダウンリンクデータに対応するサービス品質又はサービス属性、アップリンクデータ及び／又はダウンリンクデータの符号化に要する時間、アップリンクデータ及び／又はダウンリンクデータの復号化に要する時間、アップリンクデータ及び／又はダウンリンクデータの伝送に要する伝送時間のうちの少なくとも１つの情報に基づいて決定されたものである。
【００１９】
ネットワークデバイスと端末との間の伝送サービスのサービス要求、伝送データに要する符号化、復号化の時間等の要素に応じて、ＤＲＸパターン内のＤＲＸ休眠期間に対応する時間帯及び／又は前記ＤＲＸアクティブ期間に対応する時間帯を確定し、端末が間欠受信を利用して端末の消費電力を低減させるとともに、サービス品質の伝送要求を満たす。
【００２０】
第１形態と結合し、第１形態のある実現方式において、前記伝送するダウンリンクデータに対応するサービス品質が、前記伝送するダウンリンクデータを伝送する時間間隔を含み、前記伝送するダウンリンクデータに対応するサービス品質が、前記伝送するダウンリンクデータを伝送する待ち時間要求を含む。
【００２１】
第１形態と結合し、第１形態のある実現方式において、前記端末がネットワークデバイスにより送信された切替指示情報を受信することは、前記端末が前記ネットワークデバイスにより送信されたダウンリンクデータを受信することを含み、前記ダウンリンクデータに前記切替指示情報が含まれる。
【００２２】
第１形態と結合し、第１形態のある実現方式において、前記ダウンリンクデータは、メディアアクセス制御層のプロトコルデータユニットＭＡＣ  ＰＤＵで伝送される前記ダウンリンクデータ、無線リンク層制御層のプロトコルデータユニットＲＬＣ  ＰＤＵで伝送される前記ダウンリンクデータ、パケットデータ統合プロトコルのプロトコルデータユニットＰＤＣＰ  ＰＤＵで伝送される前記ダウンリンクデータ、又はダウンリンク制御チャネルで伝送される前記ダウンリンクデータである。
【００２３】
第２形態は、間欠受信方法を提供し、ネットワークデバイスが端末に切替指示情報を送信することと、前記端末が第２ＤＲＸパターンでＤＲＸアクティブ期間の時間帯にある場合、前記ネットワークデバイスが前記端末にダウンリンクデータを送信することとを含み、前記切替指示情報が、前記端末が現在使用する第１間欠受信ＤＲＸパターンから前記第２ＤＲＸパターンに切り替えるように指示するために用いられ、前記第１ＤＲＸパターン及び前記第２ＤＲＸパターンが、前記ＤＲＸ休眠期間に対応する時間帯及び前記ＤＲＸアクティブ期間に対応する時間帯を示すために用いられる。
【００２４】
端末がネットワークデバイスからの切替指示情報に応じてＤＲＸパターンをリアルタイムに切り替え、異なるＤＲＸパターンでＤＲＸ休眠期間とＤＲＸアクティブ期間との間で切り替えることで、端末がＤＲＸ動作メカニズムを利用してネットワークデバイスと通信する柔軟性を向上させる。
【００２５】
第２形態と結合し、第２形態のある実現方式において、前記方法がさらに、前記ネットワークデバイスが前記端末に第１指示情報を送信することを含み、前記第１指示情報が前記第２ＤＲＸパターンを示すために用いられる。
【００２６】
第２形態と結合し、第２形態のある実現方式において、前記方法がさらに、前記ネットワークデバイスが前記端末に第２指示情報を送信することを含み、前記第２指示情報が、前記端末の前記第２ＤＲＸパターンの使用の持続時間を示すために用いられる。
【００２７】
第２形態と結合し、第２形態のある実現方式において、前記方法がさらに、前記ネットワークデバイスが前記端末に第３指示情報を送信することを含み、前記第３指示情報が、前記端末が前記第２ＤＲＸパターンで前記ＤＲＸ休眠期間と前記ＤＲＸアクティブ期間との間で切り替えることを停止するように指示するために用いられる。
【００２８】
第２形態と結合し、第２形態のある実現方式において、前記方法がさらに、前記ネットワークデバイスが前記端末に第４指示情報を送信することを含み、前記第４指示情報が、前記第２ＤＲＸパターンが適用されるサービスタイプ情報、前記第２ＤＲＸパターンが適用される搬送情報、前記第２ＤＲＸパターンが適用される論理チャネル情報及び前記第２ＤＲＸパターンが適用されるＨＡＲＱプロセス情報のうちの少なくとも１つを示すために用いられる。
【００２９】
ネットワークデバイスが端末に第２ＤＲＸパターンを指示するとともに、端末に第２ＤＲＸパターンが適用されるサービスタイプ情報、第２ＤＲＸパターンが適用される搬送情報、第２ＤＲＸパターンが適用されるロジックチャンネル情報及び第２ＤＲＸパターンが適用されるＨＡＲＱプロセス情報も指示することで、端末がＤＲＸパターン適用されるサービスタイプ情報、ＤＲＸパターンが適用される搬送情報、ＤＲＸパターンが適用されるロジックチャンネル情報及びＤＲＸパターンが適用されるＨＡＲＱプロセス情報に応じて、対応するＤＲＸパターンを第２ＤＲＸパターンとして確定する。
【００３０】
第２形態と結合し、第２形態のある実現方式において、前記ＤＲＸ休眠期間に対応する時間帯及び／又は前記ＤＲＸアクティブ期間に対応する時間帯は、伝送するダウンリンクデータに対応するサービス品質又はサービス属性、アップリンクデータ及び／又はダウンリンクデータの符号化に要する時間、アップリンクデータ及び／又はダウンリンクデータの復号化に要する時間、アップリンクデータ及び／又はダウンリンクデータの伝送に要する伝送時間のうちの少なくとも１つの情報に基づいて決定されたものである。
【００３１】
ネットワークデバイスと端末との間の伝送サービスのサービス要求、伝送データに要する符号化、復号化の時間等の要素に応じて、ＤＲＸパターン内のＤＲＸ休眠期間に対応する時間帯及び／又は前記ＤＲＸアクティブ期間に対応する時間帯を確定し、端末が間欠受信で端末の消費電力を低減させるとともに、サービス品質の伝送要求を満たす。
【００３２】
第２形態と結合し、第２形態のある実現方式において、前記伝送するダウンリンクデータに対応するサービス品質が、前記伝送するダウンリンクデータを伝送する時間間隔を含み、前記伝送するダウンリンクデータに対応するサービス品質が、前記伝送するダウンリンクデータを伝送する待ち時間要求を含む。
【００３３】
第２形態と結合し、第２形態のある実現方式において、前記ネットワークデバイスが端末に切替指示情報を送信することは、前記ネットワークデバイスが前記端末に前記ダウンリンクデータを送信することを含み、前記ダウンリンクデータに前記切替指示情報が含まれる。
【００３４】
第２形態と結合し、第２形態のある実現方式において、前記ダウンリンクデータは、メディアアクセス制御層のプロトコルデータユニットＭＡＣ  ＰＤＵで伝送される前記ダウンリンクデータ、無線リンク層制御層のプロトコルデータユニットＲＬＣ  ＰＤＵで伝送される前記ダウンリンクデータ、パケットデータ統合プロトコルのプロトコルデータユニットＰＤＣＰ  ＰＤＵで伝送される前記ダウンリンクデータ、又はダウンリンク制御チャネルで伝送される前記ダウンリンクデータである。
【００３５】
第３形態は、間欠受信装置を提供し、第１形態の方法を実行するためのモジュールを含む。
【００３６】
第４形態は、間欠受信装置を提供し、第２形態の方法を実行するためのモジュールを含む。
【００３７】
第５形態は、間欠受信装置を提供し、メモリ、プロセッサ及び送受信機を含み、前記メモリがプログラムを記憶し、前記プロセッサがプログラムを実行し、前記プログラムが実行される場合、前記プロセッサは、前記送受信機により第１形態の方法を実行する。
【００３８】
第６形態は、間欠受信装置を提供し、メモリ、プロセッサ及び送受信機を含み、前記メモリがプログラムを記憶し、前記プロセッサがプログラムを実行し、前記プログラムが実行される場合、前記プロセッサは、前記送受信機により第２形態の方法を実行する。
【００３９】
第７形態は、コンピュータ読み取り可能な媒体を提供し、前記コンピュータ読み取り可能な媒体が実行用プログラムコードを記憶し、前記プログラムコードが第１形態の方法を実行するための命令を含む。
【００４０】
第８形態、コンピュータ読み取り可能な媒体を提供し、前記コンピュータ読み取り可能な媒体が実行用プログラムコードを記憶し、前記プログラムコードが第２形態の方法を実行するための命令を含む。
【図面の簡単な説明】
【００４１】
【図１】本発明の実施例に応用される無線通信システム１００を示す。
【図２】本発明の実施例における間欠受信方法のフローチャートである。
【図３】本発明の実施例におけるＤＲＸパターンの模式図である。
【図４】本発明の他の実施例における間欠受信方法のフローチャートである。
【図５】本発明の実施例における間欠受信装置のブロック図である。
【図６】本発明の他の実施例における間欠受信装置のブロック図である。
【図７】本発明の他の実施例における間欠受信のブロック図である。
【図８】本発明の他の実施例における間欠受信のブロック図である。
【発明を実施するための形態】
【００４２】
以下、図面を基づいて、本発明の実施例に係る技術案を説明する。
【００４３】
図１は本発明の実施例に応用される無線通信システム１００を示す。当該無線通信システム１００は、ネットワークデバイス１１０を含む。ネットワークデバイス１１０は、端末デバイスに接続する通信デバイスであっても良い。ネットワークデバイス１００は、特定の地理エリアに通信カバーを提供し、さらに、当該カバーエリア内にある端末デバイスと通信することができる。
【００４４】
図１は、１つのネットワークデバイス及び２つの端末を示し、選択可能で、当該無線通信システム１００は、複数のネットワークデバイスを含み、各ネットワークデバイスのカバーエリア内に他の数の端末が存在しているが、本発明の実施例はこれを限定しない。
【００４５】
選択可能で、当該無線通信システム１００は、さらに、ネットワークコントローラ、モビリティマネッジメントエンティティを含んでもよく、本発明の実施例はこれを限定しない。
【００４６】
なお、本発明の実施例における技術的解決策は様々な通信システム、例えばグローバル移動体通信（ＧＳＭ：Ｇｌｏｂａｌ  Ｓｙｓｔｅｍ  ｏｆ  Ｍｏｂｉｌｅ  Ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）汎用パケット無線サービス（ＧＰＲＳ：Ｇｅｎｅｒａ１  Ｐａｃｋｅｔ  Ｒａｄｉｏ  Ｓｅｒｖｉｃｅ）システム、長期進化型（ＬＴＥ：Ｌｏｎｇ  Ｔｅｒｍ  Ｅｖｏｌｕｔｉｏｎ）システム、アドバンスト長期進化型（ＬＴＥ−Ａ：Ａｄｖａｎｃｅｄ  ｌｏｎｇ  ｔｅｒｍ  ｅｖｏｌｕｔｉｏｎ）システム、ユニバーサル移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、ＮＲ（Ｎｅｗ  Ｒａｄｉｏ  Ａｃｃｅｓｓ  Ｔｅｃｈｎｏｌｏｇｙ）、５Ｇなどに応用されることができる。
【００４７】
なお、本発明の実施例において、端末デバイスが、移動台（ＭＳ：Ｍｏｂｉｌｅ  Ｓｔａｔｉｏｎ）、移動端末（Ｍｏｂｉｌｅ  Ｔｅｒｍｉｎａｌ）、モバイル電話（Ｍｏｂｉｌｅ  Ｔｅｌｅｐｈｏｎｅ）、ユーザー装置（ＵＥ：Ｕｓｅｒ Ｅｑｕｉｐｍｅｎｔ）、ハンドセット（ｈａｎｄｓｅｔ）及び携帯機器（ｐｏｒｔａｂｌｅ  ｅｑｕｉｐｍｅｎｔ）を含むが、これらに限定しなく、当該端末デバイスは、無線アクセスネットワーク（ＲＡＮ：Ｒａｄｉｏ  Ａｃｃｅｓｓ  Ｎｅｔｗｏｒｋ）を介して１つ以上のコアネットワークと通信することができ、例えば、端末は移動電話（「セルラ」電話とも言われる）、移動端末を備えるコンピューターであっても良いし、携帯型、ポケット型、ハンドヘルド型、コンピュータ内蔵又は車載の移動装置であってもよい。
【００４８】
本発明の実施例において、ネットワークデバイスはアクセスネットワーク機器であっても良く、例えば、基地局、送信／受信ポイント（ＴＲＰ：Ｔｒａｎｓｍｉｔ  ａｎｄ  Ｒｅｃｅｉｖｅ  Ｐｏｉｎｔ）又はアクセスポイントであっても良く、基地局がＧＳＭ又はＣＤＭＡにおける基地局（ＢＴＳ：Ｂａｓｅ  Ｔｒａｎｓｃｅｉｖｅｒ  Ｓｔａｔｉｏｎ）、ＷＣＤＭＡにおける基地局（ＮＢ：ＮｏｄｅＢ）、ＬＴＥにおける進化型基地局（ｅＮＢ又はｅＮｏｄｅＢ：Ｅｖｏｌｕｔｉｏｎａｌ  ＮｏｄｅＢ）であってよく、又はＮＲ又は５Ｇの基地局（ｇＮＢ）であっても良く、本発明の実施例はこれを限定しない。
【００４９】
図２は本発明の実施例における間欠受信方法のフローチャートを示す。図２に示す方法は、２１０及び２２０を含む。
【００５０】
２１０において、端末がネットワークデバイスにより送信された切替指示情報を受信し、前記切替指示情報が、前記端末が現在使用する第１間欠受信ＤＲＸパターンから前記第２ＤＲＸパターンに切り替えるように指示するために用いられ、前記第１ＤＲＸパターン及び前記第２ＤＲＸパターンが、前記ＤＲＸ休眠期間に対応する時間帯及び前記ＤＲＸアクティブ期間に対応する時間帯を示すために用いられる。
【００５１】
なお、上記の第１ＤＲＸパターン及び／又は第２ＤＲＸパターンは、ネットワークデバイスが端末に予め構成されたプロトコルデフォルトのＤＲＸパターンであっても良いし、ネットワークデバイスが端末に指示するＤＲＸパターンであっても良く、本発明はこれを限定しない。
【００５２】
選択可能で、上記第１ＤＲＸパターンと第２ＤＲＸパターンは、端末の第１ＤＲＸアクティブ期間の時間帯内のＤＲＸ休眠期間に対応する時間帯及びＤＲＸアクティブ期間に対応する時間帯を示すために用いられても良い。
【００５３】
選択可能で、端末が第１ＤＲＸパターンでＤＲＸ伝送を行う開始時刻は、端末がアップリンクデータを送信する送信時刻である。
【００５４】
具体的に、端末が第１ＤＲＸパターンでＤＲＸ伝送を行うことは、端末がアップリンクデータを送信することによりトリガされる。
【００５５】
具体的に、上記の第１ＤＲＸアクティブ期間は、端末が従来の技術でＤＲＸを周期的に行う時のＤＲＸアクティブ期間であっても良く、つまり、端末が従来の技術を利用してタイマーとＤＲＸ周期との結合の方式でＤＲＸアクティブ期間にある場合、ＤＲＸパターンに応じて前記ＤＲＸ休眠期間と前記ＤＲＸアクティブ期間との間で切り替えることができ、これによって、端末が第１ＤＲＸアクティブ期間においてＤＲＸ休眠期間と前記ＤＲＸアクティブ期間の間で切り替えて、電気消費の低減を実現する。
【００５６】
２２０において、前記端末が前記第２ＤＲＸパターンで前記ＤＲＸ休眠期間と前記ＤＲＸアクティブ期間との間で切り替える。
【００５７】
例えば、図３は本発明の実施例におけるＤＲＸパターンの模式図を示す。図３に示すＤＲＸ伝送メカニズムから、当該端末が第１ＤＲＸパターンでＤＲＸ伝送を行い、当該端末が切替時刻にある場合、第１ＤＲＸパターンから第２ＤＲＸパターンに切り替え、切替時刻の後の時間において、当該端末が第２ＤＲＸパターンでＤＲＸ伝送を行う。
【００５８】
なお、上記の切替時刻は、端末がネットワークデバイスにより送信された切替指示情報を受信した時刻であっても良いし、端末がネットワークデバイスにより送信された切替指示情報を受信した時刻の後の所定の時間帯が経過した時刻であっても良く、本発明はこれを限定しない。
【００５９】
なお、第１ＤＲＸパターンは、第１ＤＲＸアクティブ期間、ＤＲＸ休眠期間及び第２ＤＲＸアクティブ期間を含み、第１ＤＲＸパターンに含まれる第１ＤＲＸアクティブ期間に対応する時間帯、第１ＤＲＸパターンに含まれるＤＲＸ休眠期間に対応する時間帯、及び第１ＤＲＸパターンに含まれる第２ＤＲＸアクティブ期間に対応する時間帯は、同じでもよいし、相違しても良い。同様、第２ＤＲＸパターンは、第１ＤＲＸアクティブ期間、ＤＲＸ休眠期間及び第２ＤＲＸアクティブ期間を含む。第２ＤＲＸパターンに含まれる第１ＤＲＸアクティブ期間に対応する時間帯、第２ＤＲＸパターンに含まれるＤＲＸ休眠期間に対応する時間帯、及び第２ＤＲＸパターンに含まれる第２ＤＲＸアクティブ期間に対応する時間帯は、同じでもよいし、相違しても良く、本発明はこれを限定しない。
【００６０】
選択可能で、１つの実施例として、前記方法がさらに、前記端末が前記ネットワークデバイスにより送信された第１指示情報を受信することを含み、前記第１指示情報が前記第２ＤＲＸパターンを示すために用いられる。
【００６１】
選択可能で、１つの実施例として、前記方法がさらに、前記端末が前記第１指示情報に応じて、ＤＲＸパターンセットから前記第２ＤＲＸパターンを確定することを含み、前記ＤＲＸパターンセットが、多くの異なるＤＲＸパターンを含む。
【００６２】
選択可能で、１つの実施例として、前記方法がさらに、前記端末が前記ネットワークデバイスにより送信された構成情報を受信することを含み、前記構成情報が、前記端末に前記ＤＲＸパターンセットを構成するために用いられる。
【００６３】
具体的に、端末がネットワークデバイスにより送信された構成情報を受信し、当該構成情報は、ネットワークデバイスが端末のために配置されるＤＲＸパターンセットを示すために用いられ、当該ＤＲＸパターンセットには複数のＤＲＸパターンが含まれる。選択可能で、ネットワークデバイスが端末に第１指示情報を送信ことは、ネットワークデバイスが端末にＤＲＸパターンＩＤを送信することであっても良く、端末がＤＲＸパターンＩＤに応じて上記のＤＲＸパターンセットからＤＲＸパターンを選択する。
【００６４】
選択可能で、１つの実施例として、前記方法がさらに、前記端末が前記ネットワークデバイスにより送信された第２指示情報を受信することを含み、前記第２指示情報が前記第２ＤＲＸパターンの持続時間を使用するために用いられ、前記端末が第２ＤＲＸパターンでＤＲＸ休眠期間とＤＲＸアクティブ期間との間で切り替えることは、前記端末が前記持続時間内において、前記第２ＤＲＸパターンで前記ＤＲＸ休眠期間と前記ＤＲＸアクティブ期間との間で切り替えることを含む。
【００６５】
具体的に、上記の第２ＤＲＸパターンの持続時間を使用することは、端末が第２ＤＲＸパターンでＤＲＸ休眠期間とＤＲＸアクティブ期間との間で切り替える持続時間である。
【００６６】
なお、前記持続時間を経過した後、端末が前記第１ＤＲＸパターンで前記ＤＲＸ休眠期間と前記ＤＲＸアクティブ期間との間で切り替えても良く、前記持続時間を経過した後、端末が従来技術においてＤＲＸ端末とタイマー及びＤＲＸとの周期結合の方式でＤＲＸ通信を行っても良く、本発明の実施例はこれを限定しない。
【００６７】
選択可能で、１つの実施例として、前記方法がさらに、前記持続時間を経過した後、前記端末が前記第１ＤＲＸパターンで前記ＤＲＸ休眠期間と前記ＤＲＸアクティブ期間との間で切り替えることを含む。
【００６８】
具体的に、上記の第１ＤＲＸパターンは、ネットワークデバイスが端末に予め配置されたものであってもよいし、プロトコルデフォルトのＤＲＸパターンであっても良いし、ネットワークデバイスが端末に指示するＤＲＸパターンであっても良く、本発明はこれを限定しない。
【００６９】
選択可能で、１つの実施例として、前記方法がさらに、前記持続時間を経過した後、前記端末が前記第２ＤＲＸパターンで前記ＤＲＸ休眠期間と前記ＤＲＸアクティブ期間との間で切り替えることを含む。
【００７０】
選択可能で、１つの実施例として、前記方法がさらに、前記端末が前記ネットワークデバイスにより送信された第３指示情報を受信することと、前記端末が第２ＤＲＸパターンで前記ＤＲＸ休眠期間と前記ＤＲＸアクティブ期間との間で切替ることを停止することとを含み、前記第３指示情報が、前記端末が前記第２ＤＲＸパターンで前記ＤＲＸ休眠期間と前記ＤＲＸアクティブ期間との間で切り替えることを停止するように指示するために用いられる。
【００７１】
なお、端末がネットワークデバイスにより送信された第３指示情報を受信した後、端末が前記第１ＤＲＸパターンで前記ＤＲＸ休眠期間と前記ＤＲＸアクティブ期間との間で切り替えても良いし、前記持続時間を経過した後、従来技術においてＤＲＸ端末とタイマー及びＤＲＸと周期結合の方式でＤＲＸ通信を行っても良く、本発明の実施例はこれを限定しない。
【００７２】
選択可能で、１つの実施例として、前記方法がさらに、前記端末が前記第１ＤＲＸパターンで前記ＤＲＸ休眠期間と前記ＤＲＸアクティブ期間との間で切り替える。
【００７３】
選択可能で、１つの実施例として、前記方法がさらに、前記端末が前記ネットワークデバイスにより送信された第４指示情報を受信することを含み、前記第４指示情報が、前記第２ＤＲＸパターンが適用されるサービスタイプ情報、前記第２ＤＲＸパターンが適用される搬送情報、前記第２ＤＲＸパターンが適用される論理チャネル情報及び前記第２ＤＲＸパターンが適用されるＨＡＲＱプロセス情報のうちの少なくとも１つを示すために用いられる。
【００７４】
選択可能で、１つの実施例として、前記ＤＲＸ休眠期間に対応する時間帯及び／又は前記ＤＲＸアクティブ期間に対応する時間帯は、伝送するダウンリンクデータに対応するサービス品質又はサービス属性、アップリンクデータ及び／又はダウンリンクデータの符号化に要する時間、アップリンクデータ及び／又はダウンリンクデータの復号化に要する時間、アップリンクデータ及び／又はダウンリンクデータの伝送に要する伝送時間のうちの少なくとも１つの情報に基づいて決定されたものである。
【００７５】
具体的に、ＤＲＸパターン（上記の第１ＤＲＸパターン及び／又は第２ＤＲＸパターンを含む）が示すＤＲＸ休眠期間に対応する時間帯及び／又は前記ＤＲＸアクティブ期間に対応する時間帯は、伝送するダウンリンクデータに対応するサービス品質又はサービス属性、アップリンクデータ及び／又はダウンリンクデータの符号化に要する時間、アップリンクデータ及び／又はダウンリンクデータの復号化に要する時間、アップリンクデータ及び／又はダウンリンクデータの伝送に要する伝送時間のうちの少なくとも１つの情報に基づいて決定されたのもである。
【００７６】
上記伝送するダウンリンクデータに対応するサービス品質が、伝送するダウンリンクデータを伝送する待ち時間要求などを含む。伝送するダウンリンクデータに対応するサービス属性が、伝送するダウンリンクデータを伝送する時の時間間隔などを含む。
【００７７】
選択可能で、１つの実施例として、前記端末がネットワークデバイスにより送信された切替指示情報を受信することは、前記端末が前記ネットワークデバイスにより送信されたダウンリンクデータを受信することを含み、前記ダウンリンクデータに前記切替指示情報が含まれる。
【００７８】
具体的に、上記ダウンリンクデータは、サービスデータであっても良いし、ダウンリンク制御チャネルのデータであっても良い。上記ダウンリンクデータがサービスデータである場合、当該サービスデータは、メディアアクセス制御層ＭＡＣのプロトコルデータユニット（ＰＤＵ：Ｐｒｏｔｏｃｏｌ  Ｄａｔａ  Ｕｎｉｔ）で伝送されるダウンリンクデータ、無線リンク層制御層（ＲＬＣ：Ｒａｄｉｏ  Ｌｉｎｋ  Ｃｏｎｔｒｏｌ）のＰＤＵで伝送されるダウンリンクデータ、又はパケットデータ統合プロトコル（ＰＤＣＰ：Ｐａｃｋｅｔ  Ｄａｔａ  Ｃｏｎｖｅｒｇｅｎｃｅ  Ｐｒｏｔｏｃｏｌ）のＰＤＵで伝送される前記ダウンリンクデータである。
【００７９】
図４は本発明の他の実施例における間欠受信方法のフローチャートを示す。図４に示す方法は、４１０及び４２０を含む。
【００８０】
４１０において、ネットワークデバイスが端末に切替指示情報を送信し、前記切替指示情報が、前記端末が現在使用する第１間欠受信ＤＲＸパターンから前記第２ＤＲＸパターンに切り替えるように指示するために用いられ、前記第１ＤＲＸパターン及び前記第２ＤＲＸパターンが、前記ＤＲＸ休眠期間に対応する時間帯及び前記ＤＲＸアクティブ期間に対応する時間帯を示すために用いられる。
【００８１】
４２０において、前記端末が前記第２ＤＲＸパターンで前記ＤＲＸアクティブ期間の時間帯にある場合、前記ネットワークデバイスが前記端末にダウンリンクデータを送信する。
【００８２】
選択可能で、１つの実施例として、前記方法がさらに、前記ネットワークデバイスが前記端末に第１指示情報を送信することを含み、前記第１指示情報が前記第２ＤＲＸパターンを示すために用いられる。
【００８３】
選択可能で、１つの実施例として、前記方法がさらに、前記ネットワークデバイスが前記端末に第２指示情報を送信することを含み、前記第２指示情報が、前記端末の前記第２ＤＲＸパターンの使用の持続時間を示すために用いられる。
【００８４】
選択可能で、１つの実施例として、前記方法がさらに、前記ネットワークデバイスが前記端末に第３指示情報を送信することを含み、前記第３指示情報が、前記端末が前記第２ＤＲＸパターンで前記ＤＲＸ休眠期間と前記ＤＲＸアクティブ期間との間で切り替えることを停止するように指示するために用いられる。
【００８５】
選択可能で、１つの実施例として、前記方法がさらに、前記ネットワークデバイスが前記端末に第４指示情報を送信することを含み、前記第４指示情報が、前記第２ＤＲＸパターンが適用されるサービスタイプ情報、前記第２ＤＲＸパターンが適用される搬送情報、前記第２ＤＲＸパターンが適用される論理チャネル情報及び前記第２ＤＲＸパターンが適用されるＨＡＲＱプロセス情報のうちの少なくとも１つを示すために用いられる。
【００８６】
選択可能で、１つの実施例として、前記ＤＲＸ休眠期間に対応する時間帯及び／又は前記ＤＲＸアクティブ期間に対応する時間帯は、伝送するダウンリンクデータに対応するサービス品質又はサービス属性、アップリンクデータ及び／又はダウンリンクデータの符号化に要する時間、アップリンクデータ及び／又はダウンリンクデータの復号化に要する時間、アップリンクデータ及び／又はダウンリンクデータの伝送に要する伝送時間のうちの少なくとも１つの情報に基づいて決定されたものである。
【００８７】
選択可能で、１つの実施例として、前記ネットワークデバイスが端末に切替指示情報を送信することは、前記ネットワークデバイスが前記端末に前記ダウンリンクデータを送信することを含み、前記ダウンリンクデータに前記切替指示情報が含まれる。
【００８８】
選択可能で、１つの実施例として、前記ダウンリンクデータは、メディアアクセス制御層のプロトコルデータユニットＭＡＣ  ＰＤＵで伝送される前記ダウンリンクデータ、無線リンク層制御層のプロトコルデータユニットＲＬＣ  ＰＤＵで伝送される前記ダウンリンクデータ、パケットデータ統合プロトコルのプロトコルデータユニットＰＤＣＰ  ＰＤＵで伝送される前記ダウンリンクデータ、又はダウンリンク制御チャネルで伝送される前記ダウンリンクデータである。
【００８９】
以上、図１〜図４に基づいて本発明の実施例における間欠受信方法を説明し、以下、図５〜図８を基づいて、本発明の実施例における間欠受信装置を説明する。なお、図５〜図８に示す装置が、図２の各ステップを実行することができ、重複を回避するために、説明を省略する。
【００９０】
図５は本発明の実施例における間欠受信装置のブロック図を示す。図５に示す装置５００は、第１受信ユニット５１０及び第１切替ユニット５２０を含む。
【００９１】
第１受信ユニット５１０は、ネットワークデバイスにより送信された切替指示情報を受信するように構成され、前記切替指示情報が、前記端末が現在使用する第１間欠受信ＤＲＸパターンから前記第２ＤＲＸパターンに切り替えるように指示するために用いられ、前記第１ＤＲＸパターン及び前記第２ＤＲＸパターンが、前記ＤＲＸ休眠期間に対応する時間帯及び前記ＤＲＸアクティブ期間に対応する時間帯を示すために用いられる。
【００９２】
第１切替ユニット５２０は、前記第２ＤＲＸパターンで前記ＤＲＸ休眠期間と前記ＤＲＸアクティブ期間との間で切り替えるように構成される。
【００９３】
選択可能で、１つの実施例として、前記装置がさらに、前記ネットワークデバイスにより送信された第１指示情報を受信するように構成される第２受信ユニットを含み、前記第１指示情報が前記第２ＤＲＸパターンを示すために用いられる。
【００９４】
選択可能で、１つの実施例として、前記装置がさらに、前記第１指示情報に応じて、ＤＲＸパターンセットから前記第２ＤＲＸパターンを確定するように構成される確定ユニットを含み、前記ＤＲＸパターンセットが、多くの異なるＤＲＸパターンを含む。
【００９５】
選択可能で、１つの実施例として、前記装置がさらに、前記ネットワークデバイスにより送信された構成情報を受信するように構成される第３受信ユニットを含み、前記構成情報が、前記端末に前記ＤＲＸパターンセットを構成するために用いられる。
【００９６】
選択可能で、１つの実施例として、前記装置がさらに、前記ネットワークデバイスにより送信された第２指示情報を受信するように構成される第４受信ユニットを含み、前記第２指示情報が前記第２ＤＲＸパターンの持続時間を使用するために用いられ、前記第１切替ユニットが、さらに、前記持続時間内において、前記第２ＤＲＸパターンで前記ＤＲＸ休眠期間と前記ＤＲＸアクティブ期間との間で切り替えるように構成される。
【００９７】
選択可能で、１つの実施例として、前記装置がさらに、前記持続時間を経過した後、前記端末が前記第１ＤＲＸパターンで前記ＤＲＸ休眠期間と前記ＤＲＸアクティブ期間との間で切り替えるように構成される第２切替ユニットを含む。
【００９８】
選択可能で、１つの実施例として、前記装置がさらに、前記持続時間を経過した後、前記端末が前記第１ＤＲＸパターン、予め構成されたＤＲＸパターン及びプロトコルデフォルトのＤＲＸパターンのいずれかのＤＲＸパターンで、前記ＤＲＸ休眠期間と前記ＤＲＸアクティブ期間との間で切り替えるように構成される第３切替ユニットを含む。
【００９９】
選択可能で、１つの実施例として、前記装置がさらに、前記ネットワークデバイスにより送信された第３指示情報を受信するように構成される第５受信ユニットを含み、前記第３指示情報が、前記端末が前記第２ＤＲＸパターンで前記ＤＲＸ休眠期間と前記ＤＲＸアクティブ期間との間で切り替えることを停止するように指示するために用いられ、
停止ユニットは、前記第２ＤＲＸパターンで前記ＤＲＸ休眠期間と前記ＤＲＸアクティブ期間との間で切り替えることを停止するように構成される。
【０１００】
選択可能で、１つの実施例として、前記装置がさらに、前記第１ＤＲＸパターン、予め構成されたＤＲＸパターン及びプロトコルデフォルトのＤＲＸパターンのいずれかのＤＲＸパターンで、前記ＤＲＸ休眠期間と前記ＤＲＸアクティブ期間との間で切り替えるように構成される第４切替ユニットを含む。
【０１０１】
選択可能で、１つの実施例として、前記装置がさらに、前記ネットワークデバイスにより送信された第４指示情報を受信するように構成される第６受信ユニットを含み、前記第４指示情報が、前記第２ＤＲＸパターンが適用されるサービスタイプ情報、前記第２ＤＲＸパターンが適用される搬送情報、前記第２ＤＲＸパターンが適用される論理チャネル情報及び前記第２ＤＲＸパターンが適用されるＨＡＲＱプロセス情報のうちの少なくとも１つを示すために用いられる。
【０１０２】
選択可能で、１つの実施例として、前記ＤＲＸ休眠期間に対応する時間帯及び／又は前記ＤＲＸアクティブ期間に対応する時間帯は、伝送するダウンリンクデータに対応するサービス品質又はサービス属性、アップリンクデータ及び／又はダウンリンクデータの符号化に要する時間、アップリンクデータ及び／又はダウンリンクデータの復号化に要する時間、アップリンクデータ及び／又はダウンリンクデータの伝送に要する伝送時間のうちの少なくとも１つの情報に基づいて決定されたものである。
【０１０３】
選択可能で、１つの実施例として、前記伝送するダウンリンクデータに対応するサービス品質が、前記伝送するダウンリンクデータを伝送する時間間隔を含み、前記伝送するダウンリンクデータに対応するサービス品質が、前記伝送するダウンリンクデータを伝送する待ち時間要求を含む。
【０１０４】
選択可能で、１つの実施例として、前記第１受信ユニットが、具体的に、前記ネットワークデバイスにより送信されたダウンリンクデータを受信するように構成され、前記ダウンリンクデータに前記切替指示情報が含まれる。
【０１０５】
選択可能で、１つの実施例として、前記ダウンリンクデータは、メディアアクセス制御層のプロトコルデータユニットＭＡＣ  ＰＤＵで伝送される前記ダウンリンクデータ、無線リンク層制御層のプロトコルデータユニットＲＬＣ  ＰＤＵで伝送される前記ダウンリンクデータ、パケットデータ統合プロトコルのプロトコルデータユニットＰＤＣＰ  ＰＤＵで伝送される前記ダウンリンクデータ、又はダウンリンク制御チャネルで伝送される前記ダウンリンクデータである。
【０１０６】
図６は本発明の他の実施例における間欠受信装置のブロック図を示す。図６に示す装置６００は、第１送信ユニット６１０及び第２送信ユニット６２０を含む。
【０１０７】
第１送信ユニット６１０は、端末に切替指示情報を送信するように構成され、前記切替指示情報が、前記端末が現在使用する第１間欠受信ＤＲＸパターンから前記第２ＤＲＸパターンに切り替えるように指示するために用いられ、前記第１ＤＲＸパターン及び前記第２ＤＲＸパターンが、前記ＤＲＸ休眠期間に対応する時間帯及び前記ＤＲＸアクティブ期間に対応する時間帯を示すために用いられる。
【０１０８】
第２送信ユニット６２０は、前記端末が前記第２ＤＲＸパターンで前記ＤＲＸアクティブ期間の時間帯にある場合、前記端末にダウンリンクデータを送信するように構成される。
【０１０９】
選択可能で、１つの実施例として、前記装置がさらに、前記端末に第１指示情報を送信するように構成される第３送信ユニットを含み、前記第１指示情報が前記第２ＤＲＸパターンを示すために用いられる。
【０１１０】
選択可能で、１つの実施例として、前記装置がさらに、前記端末に第２指示情報を送信するように構成される第４送信ユニットを含み、前記第２指示情報が、前記端末の前記第２ＤＲＸパターンの使用の持続時間を示すために用いられる。
【０１１１】
選択可能で、１つの実施例として、前記装置がさらに、前記端末に第３指示情報を送信するように構成される第５送信ユニットを含み、前記第３指示情報が、前記端末が前記第２ＤＲＸパターンで前記ＤＲＸ休眠期間と前記ＤＲＸアクティブ期間との間で切り替えることを停止するように指示するために用いられる。
【０１１２】
選択可能で、１つの実施例として、前記装置がさらに、前記端末に第４指示情報を送信するように構成される第６送信ユニットを含み、前記第４指示情報が、前記第２ＤＲＸパターンが適用されるサービスタイプ情報、前記第２ＤＲＸパターンが適用される搬送情報、前記第２ＤＲＸパターンが適用される論理チャネル情報及び前記第２ＤＲＸパターンが適用されるＨＡＲＱプロセス情報のうちの少なくとも１つを示すために用いられる。
【０１１３】
選択可能で、１つの実施例として、前記ＤＲＸ休眠期間に対応する時間帯及び／又は前記ＤＲＸアクティブ期間に対応する時間帯は、伝送するダウンリンクデータに対応するサービス品質又はサービス属性、アップリンクデータ及び／又はダウンリンクデータの符号化に要する時間、アップリンクデータ及び／又はダウンリンクデータの復号化に要する時間、アップリンクデータ及び／又はダウンリンクデータの伝送に要する伝送時間のうちの少なくとも１つの情報に基づいて決定されたものである。
【０１１４】
選択可能で、１つの実施例として、前記伝送するダウンリンクデータに対応するサービス品質が、前記伝送するダウンリンクデータを伝送する時間間隔を含み、前記伝送するダウンリンクデータに対応するサービス品質が、前記伝送するダウンリンクデータを伝送する待ち時間要求を含む。
【０１１５】
選択可能で、１つの実施例として、前記第１送信ユニットが、具体的に、前記端末に前記ダウンリンクデータを送信するように構成され、前記ダウンリンクデータに前記切替指示情報が含まれる。
【０１１６】
選択可能で、１つの実施例として、前記ダウンリンクデータは、メディアアクセス制御層のプロトコルデータユニットＭＡＣ  ＰＤＵで伝送される前記ダウンリンクデータ、無線リンク層制御層のプロトコルデータユニットＲＬＣ  ＰＤＵで伝送される前記ダウンリンクデータ、パケットデータ統合プロトコルのプロトコルデータユニットＰＤＣＰ  ＰＤＵで伝送される前記ダウンリンクデータ、又はダウンリンク制御チャネルで伝送される前記ダウンリンクデータである。
【０１１７】
図７は本発明の他の実施例における間欠受信のブロック図を示す。図７に示す装置７００は、メモリ７１０、プロセッサ７２０及び送受信機７３０を含み、前記メモリ７１０がプログラムを記憶し、前記プロセッサ７２０がプログラムを実行し、前記プログラムが実行される場合、送受信機７３０は、ネットワークデバイスにより送信された切替指示情報を受信するように構成され、前記切替指示情報が、前記端末が現在使用する第１間欠受信ＤＲＸパターンから第２ＤＲＸパターンに切り替えるように指示するために用いられ、前記第１ＤＲＸパターン及び前記第２ＤＲＸパターンが、ＤＲＸ休眠期間に対応する時間帯及びＤＲＸアクティブ期間に対応する時間帯を示すために用いられ、プロセッサ７２０は、前記第２ＤＲＸパターンで前記ＤＲＸ休眠期間と前記ＤＲＸアクティブ期間との間で切り替えるように構成される。
【０１１８】
選択可能で、１つの実施例として、前記送受信機は、前記ネットワークデバイスにより送信された第１指示情報を受信するように構成され、前記第１指示情報が前記第２ＤＲＸパターンを示すために用いられる。
【０１１９】
選択可能で、１つの実施例として、前記プロセッサは、前記第１指示情報に応じて、ＤＲＸパターンセットから前記第２ＤＲＸパターンを確定するように構成され、前記ＤＲＸパターンセットが、多くの異なるＤＲＸパターンを含む。
【０１２０】
選択可能で、１つの実施例として、前記送受信機は、前記ネットワークデバイスにより送信された構成情報を受信するように構成され、前記構成情報が、前記端末に前記ＤＲＸパターンセットを構成するために用いられる。
【０１２１】
選択可能で、１つの実施例として、前記送受信機は、前記ネットワークデバイスにより送信された第２指示情報を受信するように構成され、前記第２指示情報が前記第２ＤＲＸパターンの持続時間を使用するために用いられ、前記プロセッサは、さらに、前記持続時間内において、前記第２ＤＲＸパターンで前記ＤＲＸ休眠期間と前記ＤＲＸアクティブ期間との間で切り替えるように構成される。
【０１２２】
選択可能で、１つの実施例として、前記プロセッサは、前記持続時間を経過した後、前記端末が前記第１ＤＲＸパターンで前記ＤＲＸ休眠期間と前記ＤＲＸアクティブ期間との間で切り替えるように構成される。
【０１２３】
選択可能で、１つの実施例として、前記プロセッサは、前記持続時間を経過した後、前記端末が前記第１ＤＲＸパターン、予め構成されたＤＲＸパターン及びプロトコルデフォルトのＤＲＸパターンのいずれかのＤＲＸパターンで前記ＤＲＸ休眠期間と前記ＤＲＸアクティブ期間との間で切り替えるように構成される。
【０１２４】
選択可能で、１つの実施例として、前記送受信機は、前記ネットワークデバイスにより送信された第３指示情報を受信するように構成され、前記第３指示情報が、前記端末が前記第２ＤＲＸパターンで前記ＤＲＸ休眠期間と前記ＤＲＸアクティブ期間との間で切り替えることを停止するように指示するために用いられ、
停止ユニットは、前記第２ＤＲＸパターンで前記ＤＲＸ休眠期間と前記ＤＲＸアクティブ期間との間の切替を停止するように構成される。
【０１２５】
選択可能で、１つの実施例として、前記プロセッサは、前記第１ＤＲＸパターン、予め構成されたＤＲＸパターン及びプロトコルデフォルトのＤＲＸパターンのいずれかのＤＲＸパターンで、前記ＤＲＸ休眠期間と前記ＤＲＸアクティブ期間との間で切り替えるように構成される。
【０１２６】
選択可能で、１つの実施例として、前記送受信機は、前記ネットワークデバイスにより送信された第４指示情報を受信するように構成され、前記第４指示情報が、前記第２ＤＲＸパターンが適用されるサービスタイプ情報、前記第２ＤＲＸパターンが適用される搬送情報、前記第２ＤＲＸパターンが適用される論理チャネル情報及び前記第２ＤＲＸパターンが適用されるＨＡＲＱプロセス情報のうちの少なくとも１つを示すために用いられる。
【０１２７】
選択可能で、１つの実施例として、前記ＤＲＸ休眠期間に対応する時間帯及び／又は前記ＤＲＸアクティブ期間に対応する時間帯は、伝送するダウンリンクデータに対応するサービス品質又はサービス属性、アップリンクデータ及び／又はダウンリンクデータの符号化に要する時間、アップリンクデータ及び／又はダウンリンクデータの復号化に要する時間、アップリンクデータ及び／又はダウンリンクデータの伝送に要する伝送時間のうちの少なくとも１つの情報に基づいて決定されたものである。
【０１２８】
選択可能で、１つの実施例として、前記伝送するダウンリンクデータに対応するサービス品質が、前記伝送するダウンリンクデータを伝送する時間間隔を含み、前記伝送するダウンリンクデータに対応するサービス品質が、前記伝送するダウンリンクデータを伝送する待ち時間要求を含む。
【０１２９】
選択可能で、１つの実施例として、前記送受信機が、具体的に、前記ネットワークデバイスにより送信されたダウンリンクデータを受信するように構成され、前記ダウンリンクデータに前記切替指示情報が含まれる。
【０１３０】
選択可能で、１つの実施例として、前記ダウンリンクデータは、メディアアクセス制御層のプロトコルデータユニットＭＡＣ  ＰＤＵで伝送される前記ダウンリンクデータ、無線リンク層制御層のプロトコルデータユニットＲＬＣ  ＰＤＵで伝送される前記ダウンリンクデータ、パケットデータ統合プロトコルのプロトコルデータユニットＰＤＣＰ  ＰＤＵで伝送される前記ダウンリンクデータ、又はダウンリンク制御チャネルで伝送される前記ダウンリンクデータである。
【０１３１】
図８は本発明の他の実施例における間欠受信のブロック図を示す。図８に示す装置８００は、メモリ８１０、プロセッサ８２０及び送受信機８３０を含み、前記メモリ８１０がプログラムを記憶し、前記プロセッサ８２０がプログラムを実行し、前記プログラムが実行される場合、送受信機８３０は、端末に切替指示情報を送信するように構成され、前記切替指示情報が、前記端末が現在使用する第１間欠受信ＤＲＸパターンから第２ＤＲＸパターンに切り替えるように指示するために用いられ、前記第１ＤＲＸパターン及び前記第２ＤＲＸパターンが、ＤＲＸ休眠期間に対応する時間帯及びＤＲＸアクティブ期間に対応する時間帯を示すために用いられ、送受信機８３０は、前記端末が前記第２ＤＲＸパターンで前記ＤＲＸアクティブ期間の時間帯にある場合、前記端末にダウンリンクデータを送信するように構成される。
【０１３２】
選択可能で、１つの実施例として、前記送受信機は、前記端末に第１指示情報を送信するように構成され、前記第１指示情報が前記第２ＤＲＸパターンを示すために用いられる。
【０１３３】
選択可能で、１つの実施例として、前記送受信機は、前記端末に第２指示情報を送信するように構成され、前記第２指示情報が、前記端末の前記第２ＤＲＸパターンの使用の持続時間を示すために用いられる。
【０１３４】
選択可能で、１つの実施例として、前記送受信機は、前記端末に第３指示情報を送信するように構成され、前記第３指示情報が、前記端末が前記第２ＤＲＸパターンで前記ＤＲＸ休眠期間と前記ＤＲＸアクティブ期間との間で切り替えることを停止するように指示するために用いられる。
【０１３５】
選択可能で、１つの実施例として、前記送受信機は、前記端末に第４指示情報を送信するように構成され、前記第４指示情報が、前記第２ＤＲＸパターンが適用されるサービスタイプ情報、前記第２ＤＲＸパターンが適用される搬送情報、前記第２ＤＲＸパターンが適用される論理チャネル情報及び前記第２ＤＲＸパターンが適用されるＨＡＲＱプロセス情報のうちの少なくとも１つを示すために用いられる。
【０１３６】
選択可能で、１つの実施例として、前記ＤＲＸ休眠期間に対応する時間帯及び／又は前記ＤＲＸアクティブ期間に対応する時間帯は、伝送するダウンリンクデータに対応するサービス品質又はサービス属性、アップリンクデータ及び／又はダウンリンクデータの符号化に要する時間、アップリンクデータ及び／又はダウンリンクデータの復号化に要する時間、アップリンクデータ及び／又はダウンリンクデータの伝送に要する伝送時間のうちの少なくとも１つの情報に基づいて決定されたものである。
【０１３７】
選択可能で、１つの実施例として、前記伝送するダウンリンクデータに対応するサービス品質が、前記伝送するダウンリンクデータを伝送する時間間隔を含み、前記伝送するダウンリンクデータに対応するサービス品質が、前記伝送するダウンリンクデータを伝送する待ち時間要求を含む。
【０１３８】
選択可能で、１つの実施例として、前記送受信機が、具体的に、前記端末に前記ダウンリンクデータを送信するように構成され、前記ダウンリンクデータに前記切替指示情報が含まれる。
【０１３９】
選択可能で、１つの実施例として、前記ダウンリンクデータは、メディアアクセス制御層のプロトコルデータユニットＭＡＣ  ＰＤＵで伝送される前記ダウンリンクデータ、無線リンク層制御層のプロトコルデータユニットＲＬＣ  ＰＤＵで伝送される前記ダウンリンクデータ、パケットデータ統合プロトコルのプロトコルデータユニットＰＤＣＰ  ＰＤＵで伝送される前記ダウンリンクデータ、又はダウンリンク制御チャネルで伝送される前記ダウンリンクデータである。
【０１４０】
なお、本発明の実施例において、「Ａに対応するＢ」は、ＢがＡに関連し、ＡによってＢを確定することを示す。ただし、ＡによってＢを確定することは、ＡのみによってＢを確定することを意味しなく、Ａ及び／又は他の情報によってＢを確定してもよい。
【０１４１】
なお、本明細書に記載される「及び／又は」、関連対象の関連関係を説明するものだけであり、以下の３つの関係を示す。例えば、Ａ及び／又はＢは、Ａが単独存在すること、ＡとＢが同時に存在すること、及びＢが単独存在することそれぞれ示す。また、本明細書に記載される「／」は、通常に、前後の関連対象の「又は」の関係を示す。
【０１４２】
なお、本発明の各実施例において、上記各過程の番号が実行順番の前後を意味しなく、各過程の実行順番は、その機能及び組み込み論理に決定され、本発明の実施例の実行過程を限定しない。
【０１４３】
本願に提供されている幾つかの実施例において、開示されているシステム、装置及び方法は、その他の方式で実現されても良い。例えば、上記に記載されている装置の実施例は単なる例示的なものに過ぎず、例えば、前記ユニットの分け方が、単なるロジック的な機能分けであり、実際、実現する時に他の分け方があっても良く、例えば、複数のユニット又はコンポーネントを別のシステムへ統合、又は集成しても良く、又は幾つかの技術特徴を省略、又は実施しなくても良い。また、明示され、又は議論されている各構成部分の互い的なカップリング、又は直接のカップリング、又は通信接続は、幾つかのインターフェース、装置、又はユニットの間接のカップリング又は通信によって接続されても良く、電気的、機械的、又はその他の形式であっても良い。
【０１４４】
上記で分離コンポーネントとして説明したユニットは、物理的に分離されるものであっても良く、そうではないものであっても良い。ユニットとして示されるコンポーネントは物理ユニットであっても良く、そうではないものであっても良い。一箇所に配置されても良く、複数のネットワークユニットに配布しても良い。実際のニーズに応じて、その中の一部又は全部のユニットを選択して本実施例の技術案の目的を実現しても良い。
【０１４５】
また、本発明の各実施例における各機能ユニットは、一つの処理ユニットに統合しても良く、各ユニットはそれぞれ単独なユニットとしても良く、二つ又は二つ以上のユニットを一つのユニットに統合しても良い。
【０１４６】
前記機能は、ソフトウェア機能ユニットの方式で実現し、しかも独立な製品として販売又は使用する場合、コンピュータ読み取り可能の記憶媒体に記憶しても良い。これによって、本発明の技術案が事実上、言い換えれば先行技術に貢献した部分がソフトウェア製品の形で具現でき、該コンピュータソフトウェア製品は記憶媒体に記憶され、コンピュータ装置（パソコン、サーバ、またはネットワーク装置などであっても良い）に本発明の各実施例の全部または一部の前記方法を実行させための複数の命令を含む。上記の記憶媒体は、ＵＳＢメモリ、移動記憶媒体、読み取り専用メモリ（ＲＯＭ：Ｒｅａｄ−Ｏｎｌｙ  Ｍｅｍｏｒｙ）、ランダムアクセス記憶装置（ＲＡＭ：Ｒａｎｄｏｍ  Ａｃｃｅｓｓ  Ｍｅｍｏｒｙ）、磁気ディスク又はコンパクトディスクなどの各種のプログラムコードが記憶できる媒体を含む。
【図１】
2020504498.tif 000003
【図２】
2020504498.tif 000004
【図３】
2020504498.tif 000005
【図４】
2020504498.tif 000006
【図５】
2020504498.tif 000007
【図６】
2020504498.tif 000008
【図７】
2020504498.tif 000009
【図８】
2020504498.tif 000010
【手続補正書】
【提出日】令和1年12月12日(2019.12.12)
【手続補正１】
【補正対象書類名】特許請求の範囲
【補正対象項目名】全文
【補正方法】変更
【補正の内容】
【特許請求の範囲】
【請求項１】
端末がネットワークデバイスにより送信された切替指示情報を受信することと、
前記端末が第２ＤＲＸパターンでＤＲＸ休眠期間とＤＲＸアクティブ期間との間で切り替えることとを含み、
前記切替指示情報が、前記端末が現在使用する第１間欠受信ＤＲＸパターンから前記第２ＤＲＸパターンに切り替えるように指示するために用いられ、
前記第１ＤＲＸパターン及び前記第２ＤＲＸパターンが、前記ＤＲＸ休眠期間に対応する時間帯及び前記ＤＲＸアクティブ期間に対応する時間帯を示すために用いられる
ことを特徴とする間欠受信方法。
【請求項２】
前記端末が前記ネットワークデバイスにより送信された第１指示情報を受信することをさらに含み、
前記第１指示情報が前記第２ＤＲＸパターンを示すために用いられる
ことを特徴とする請求項１に記載の間欠受信方法。
【請求項３】
前記端末が前記第１指示情報に応じて、ＤＲＸパターンセットから前記第２ＤＲＸパターンを確定することをさらに含み、
前記ＤＲＸパターンセットが、多くの異なるＤＲＸパターンを含む
ことを特徴とする請求項２に記載の間欠受信方法。
【請求項４】
前記端末が前記ネットワークデバイスにより送信された構成情報を受信することをさらに含み、
前記構成情報が、前記端末に前記ＤＲＸパターンセットを構成するために用いられる
ことを特徴とする請求項３に記載の間欠受信方法。
【請求項５】
前記端末が前記ネットワークデバイスにより送信された第２指示情報を受信することをさらに含み、
前記第２指示情報が前記第２ＤＲＸパターンの持続時間を使用するために用いられ、
前記端末が第２ＤＲＸパターンでＤＲＸ休眠期間とＤＲＸアクティブ期間との間で切り替えることは、
前記端末が前記持続時間内において、前記第２ＤＲＸパターンで前記ＤＲＸ休眠期間と前記ＤＲＸアクティブ期間との間で切り替えることを含む
ことを特徴とする請求項１又は２に記載の間欠受信方法。
【請求項６】
前記持続時間を経過した後、前記端末が前記第１ＤＲＸパターン、予め構成されたＤＲＸパターン及びプロトコルデフォルトのＤＲＸパターンのいずれかのＤＲＸパターンで前記ＤＲＸ休眠期間と前記ＤＲＸアクティブ期間との間で切り替えることをさらに含む
ことを特徴とする請求項５に記載の間欠受信方法。
【請求項７】
前記端末が前記ネットワークデバイスにより送信された第３指示情報を受信することと、
前記第３指示情報に基づいて、前記端末が前記第２ＤＲＸパターンで前記ＤＲＸ休眠期間と前記ＤＲＸアクティブ期間との間で切り替えることを停止することとをさらに含み、
前記第３指示情報が、前記端末が前記第２ＤＲＸパターンで前記ＤＲＸ休眠期間と前記ＤＲＸアクティブ期間との間で切り替えることを停止するように指示するために用いられ、
ことを特徴とする請求項１に記載の間欠受信方法。
【請求項８】
前記第３指示情報に基づいて、前記端末が前記第２ＤＲＸパターンで前記ＤＲＸ休眠期間と前記ＤＲＸアクティブ期間との間で切り替えることを停止した後、
前記端末が、前記第１ＤＲＸパターン、予め構成されたＤＲＸパターン及びプロトコルデフォルトのＤＲＸパターンのいずれかのＤＲＸパターンで、前記ＤＲＸ休眠期間と前記ＤＲＸアクティブ期間との間で切り替えることをさらに含む
ことを特徴とする請求項７に記載の間欠受信方法。
【請求項９】
前記ＤＲＸ休眠期間に対応する時間帯及び／又は前記ＤＲＸアクティブ期間に対応する時間帯は、
伝送するダウンリンクデータに対応するサービス品質又はサービス属性、
アップリンクデータ及び／又はダウンリンクデータの符号化に要する時間、
アップリンクデータ及び／又はダウンリンクデータの復号化に要する時間、
アップリンクデータ及び／又はダウンリンクデータの伝送に要する伝送時間のうちの少なくとも１つの情報に基づいて決定されたものである
ことを特徴とする請求項１〜８のいずれか１項に記載の間欠受信方法。
【請求項１０】
前記端末がネットワークデバイスにより送信された切替指示情報を受信することが、
前記端末が前記ネットワークデバイスにより送信されたダウンリンクデータを受信することを含み、
前記ダウンリンクデータに前記切替指示情報が含まれる
ことを特徴とする請求項１〜９のいずれか１項に記載の間欠受信方法。
【請求項１１】
ネットワークデバイスが端末に切替指示情報を送信することと、
前記端末が第２ＤＲＸパターンでＤＲＸアクティブ期間の時間帯にある場合、前記ネットワークデバイスが前記端末にダウンリンクデータを送信することとを含み、
前記切替指示情報が、前記端末が現在使用する第１間欠受信ＤＲＸパターンから前記第２ＤＲＸパターンに切り替えるように指示するために用いられ、前記第１ＤＲＸパターン及び前記第２ＤＲＸパターンが、前記ＤＲＸ休眠期間に対応する時間帯及び前記ＤＲＸアクティブ期間に対応する時間帯を示すために用いられる、
ことを特徴とする間欠受信方法。
【請求項１２】
前記ネットワークデバイスが前記端末に第１指示情報を送信することをさらに含み、
前記第１指示情報が前記第２ＤＲＸパターンを示すために用いられる
ことを特徴とする請求項１１に記載の間欠受信方法。
【請求項１３】
前記ネットワークデバイスが前記端末に第２指示情報を送信することをさらに含み、
前記第２指示情報が、前記端末の前記第２ＤＲＸパターンの使用の持続時間を示すために用いられる
ことを特徴とする請求項１１又は１２に記載の間欠受信方法。
【請求項１４】
メモリ、プロセッサ及び送受信機を含み、
メモリはプログラムコードを記憶し、プロセッサはプログラムコードを実行し、
プログラムコードが実行される場合、プロセッサは、送受信機を利用して請求項１〜１０のいずれか１項に記載の間欠受信方法を実行する
ことを特徴とする間欠受信装置。
【請求項１５】
メモリ、プロセッサ及び送受信機を含み、
メモリはプログラムコードを記憶し、プロセッサはプログラムコードを実行し、
プログラムコードが実行される場合、プロセッサは、送受信機を利用して請求項１１〜１３のいずれか１項に記載の間欠受信方法を実行する
ことを特徴とする間欠受信装置。
【国際調査報告】
2020504498.tif 000011
2020504498.tif 000012
2020504498.tif 000013
2020504498.tif 000014
2020504498.tif 000015